(57)【特許請求の範囲】
【請求項１】
信号光を伝送する光ノードにおいて、
光ネットワークを監視するための監視光を出力する光監視部と、
ポストアンプを有さない前記光ノードでは、信号光の１波長あたりのレベルに応じて、信号光に合波される監視光のレベルを制御するレベル制御部と、
前記レベル制御部によってレベル制御された前記監視光と後段の光ノードに伝送する信号光とを合波する合波部と、
前記光ノードがインライン型の増幅部を用いた光分岐挿入ノードであるか又はインライン光ノードであるかを示す制御情報を前記レベル制御部に入力する制御部と、
を有し、
前記レベル制御部は、前記制御情報に基づいて前記監視光のレベルを制御する処理を実行するか否かを判断する
ことを特徴とする光ノード。
【請求項２】
前記レベル制御部と前記合波部は、１つのユニットに形成される
ことを特徴とする請求項１記載の光ノード。
【請求項３】
前記レベル制御部は、
前記合波部に入力される前記信号光の１波長あたりのレベルを算出する信号光レベル算出部と、
前記監視光のレベルを調整するレベル調整部と、
前記レベル調整部から出力される前記監視光のレベルをモニタするモニタ部と、
当該光ノードが前記光分岐挿入ノードであることを示す前記制御情報が入力された場合には、前記モニタ部によってモニタされた前記監視光のレベルに基づいて、前記レベル調整部から出力される前記監視光のレベルが、前記信号光レベル算出部によって算出された前記信号光の１波長あたりのレベルとなるように前記レベル調整部を制御し、前記インライン光ノードであることを示す前記制御情報が入力された場合には、前記監視光のレベルを調整しないように前記レベル調整部を制御する目標レベル制御部と、
を有する
ことを特徴とする請求項１又は２記載の光ノード。
【請求項４】
前記レベル制御部は、
前記合波部に入力される前記信号光の１波長あたりのレベルを算出する信号光レベル算出部と、
前記監視光のレベルを調整するレベル調整部と、
当該光ノードが前記光分岐挿入ノードであることを示す前記制御情報が入力された場合には、前記レベル調整部から出力される前記監視光のレベルが、前記信号光レベル算出部によって算出された前記信号光の１波長あたりのレベルとなるように前記レベル調整部を制御し、前記インライン光ノードであることを示す前記制御情報が入力された場合には、前記監視光のレベルを調整しないように前記レベル調整部を制御する目標レベル制御部と、
を有する
ことを特徴とする請求項１又は２記載の光ノード。
【請求項５】
前記レベル制御部は、
前記監視光のレベルを調整するレベル調整部と、
当該光ノードが前記光分岐挿入ノードであることを示す前記制御情報が入力された場合には、前記レベル調整部から出力される前記監視光の光レベルが、予め記憶装置に記憶されている前記合波部に入力される前記信号光の１波長あたりのレベルとなるように前記レベル調整部を制御し、前記インライン光ノードであることを示す前記制御情報が入力された場合には、前記監視光のレベルを調整しないように前記レベル調整部を制御する目標レベル制御部と、
を有する
ことを特徴とする請求項１又は２記載の光ノード。
【請求項６】
前記レベル制御部は、
前記合波部に入力される前記信号光の１波長あたりのレベルを算出する信号光レベル算出部と、
前記監視光のレベルを調整するレベル調整部と、
前記レベル調整部から出力される前記監視光のレベルが、前記信号光レベル算出部によって算出された前記信号光の１波長あたりのレベルとなるように前記レベル調整部を制御する目標レベル制御部と、
を有する
ことを特徴とする請求項１又は２に記載の光ノード。
【請求項７】
光信号を伝送する光ノードの光通信方法において、
光ネットワークを監視するための監視光を出力し、
出力された前記監視光のレベルを制御し、
レベル制御された前記監視光と後段の光ノードに伝送する信号光とを合波し、
前記監視光のレベルを制御する処理において、前記光ノードがインライン型の増幅部を用いた光分岐挿入ノードであるか又はインライン光ノードであるかを示す制御情報に基づいて当該処理を実行するか否かを判断する
ことを特徴とする光通信方法。
【発明の詳細な説明】
【技術分野】
【０００１】
本件は、光信号を伝送する光ノード及びその光通信方法に関する。
【背景技術】
【０００２】
光伝送システムは、光ノード間での通信にＯＳＣ（Optical Supervisory Channel）光を用いている。例えば、光ノードは、信号光にＯＳＣ光を合波して後段（下流）の光ノードに出力する。
【０００３】
光ノードは一般に、受信した信号光を光増幅器（プリアンプ）で所定のレベルまで増幅し、ＯＡＤＭ（Optical Add-Drop Multiplexer）によって、下位のネットワークに所定の信号をドロップし、また、下位のネットワークからの信号を信号光にアッドする。信号光は、ＯＡＤＭのアッド／ドロップによってレベルが低下するので、光ノードは、ＯＡＤＭでアッド／ドロップされた信号光を光増幅器（ポストアンプ）で所定レベルに増幅して、後段の光ノードへと送信する。以下では、ＯＡＤＭを有する光ノードをＯＡＤＭノードと呼ぶことがある。
【０００４】
一方、ポストアンプを有さない光ノードがある。インライン光ノードは、ＯＡＤＭを有さない。信号光をアッド又はドロップせずに、単に受信した信号光を増幅して後段の光ノードに出力する。インライン光ノードはＯＡＤＭを有さないので、信号光はアッド／ドロップによるレベルの低下することがない。そのため、インライン光ノードはプリアンプを有し、ＯＡＤＭによる信号光のレベル低下を補償するためのポストアンプを有していないインライン型の増幅部を用いる。
【０００５】
なお、従来、時分割多重方式及び波長分割多重方式のパケット切替え型光リングネットワークを用いた接続性の高い通信方法が提案されている（例えば、特許文献１参照）。
【先行技術文献】
【特許文献】
【０００６】
【特許文献１】特開２００２−１８５４８２号公報
【発明の概要】
【発明が解決しようとする課題】
【０００７】
また、ＯＡＤＭノードにおいて、ポストアンプを有さないインライン型の増幅部を用いる光ノードが考えられる。インライン型の増幅部を用いるＯＡＤＭノードは、伝送路が短く、ポストアンプがなくても信号光の品質を保てる光伝送システムに適用できる。インライン型の増幅部を用いたＯＡＤＭノードは、受信した信号光をプリアンプで増幅してＯＡＤＭにより信号光をアッド／ドロップし、アッド／ドロップされた信号光をポストアンプで増幅しないで後段の光ノードに出力する。
【０００８】
しかし、インライン型の増幅部を用いるＯＡＤＭノードでは、ＯＡＤＭによってアッド／ドロップされた信号光がポストアンプによって増幅されないため、ポストアンプによって増幅された信号光と比べ低いレベルの信号光が出力される。つまり、インライン型の増幅部を用いたＯＡＤＭノードでは、アッド／ドロップされた信号光の１波長あたりのレベルと、信号光に合波されるＯＳＣ光のレベルの差が大きくなる。そのため、後段の光ノードは、例えば、信号光からＯＳＣ光を除去するための高性能な分波フィルタ等を用いることになり、コストが高くなるというという問題点があった。
【０００９】
本件はこのような点に鑑みてなされたものであり、コストを低減することができる光ノード及び光通信方法を提供することを目的とする。
【課題を解決するための手段】
【００１０】
上記課題を解決するために、光信号を伝送する光ノードが提供される。この光ノードは、光ネットワークを監視するための監視光を出力する光監視部と、ポストアンプを有さない上記光ノードでは、信号光の１波長あたりのレベルに応じて、信号光に合波されるＯＳＣ光のレベルを制御するレベル制御部と、前記レベル制御部によってレベル制御された前記監視光と後段の光ノードに伝送する信号光とを合波する合波部と、を有する。
【発明の効果】
【００１１】
開示の光ノード及び光通信方法によれば、コストを低減できる。
【図面の簡単な説明】
【００１２】
【図１】第１の実施の形態に係る光ノードを示した図である。
【図２】第２の実施の形態に係る光ノードを適用した光ネットワークを示した図である。
【図３】レベル制御部のブロック図である。
【図４】インライン光ノードを示した図である。
【図５】インライン型の増幅部を用いたＯＡＤＭノードを示した図である。
【図６】インライン型の増幅部を用いたＯＡＤＭノードの後段の光ノードを示した図である。
【図７】アッテネータを有したインライン型の増幅部を用いたＯＡＤＭの光ノードを示した図である。
【図８】第３の実施の形態に係るレベル制御部のブロック図である。
【図９】第４の実施の形態に係るレベル制御部のブロック図である。
【図１０】第５の実施の形態に係るレベル制御部のブロック図である。
【発明を実施するための形態】
【００１３】
以下、第１の実施の形態を、図面を参照して詳細に説明する。
図１は、第１の実施の形態に係る光ノードを示した図である。図１には、光ネットワークの一部である光ノード１，２及び光ファイバ３を示している。光ノード１は、光監視部１ａ、レベル制御部１ｂ、及び合波部１ｃを有している。
【００１４】
光監視部１ａは、光ネットワークを監視するための、光ノード１，２間で通信する監視光を出力する。監視光は、例えば、ＯＳＣ光である。
レベル制御部１ｂは、光監視部１ａから出力される監視光のレベルを制御する。
【００１５】
合波部１ｃは、光ノード２に送信する信号光とレベル制御部１ｂから出力される監視光を合波する。
このように、光ノード１は、監視光のレベルを制御して信号光に合波し、光ノード２に送信する。これにより、信号光を受信する光ノード２では、信号光と監視光とを分波する高性能の分波フィルタ等が不要になり、コストを低減できる。例えば、光ノード１がインライン型の増幅部を用いたＯＡＤＭノードである場合、ＯＡＤＭによって１波長あたりの信号光のレベルが低下し、監視光のレベルと差が大きくなる。この場合、信号光を受信する光ノード２では、信号光から監視光を十分に分波するために、高性能な分波フィルタを用いることになる。しかし、光ノード１のレベル制御部１ｂは、例えば、監視光のレベルを信号光の１波長あたりのレベルとなるように制御することにより、光ノード２では、高性能な分波フィルタを用いなくても、一般の分波フィルタを用いることにより、信号光から監視光を分波することができる。
【００１６】
また、以下で詳細に述べるが、レベル制御部１ｂが監視光のレベルを制御することにより、光ノード１をインライン光ノード及びインライン型の増幅部を用いたＯＡＤＭノードの一方に形成するための２種類のユニットを用意しなくて済む。
【００１７】
次に、第２の実施の形態を、図面を参照して詳細に説明する。
図２は、第２の実施の形態に係る光ノードを適用した光ネットワークを示した図である。図２に示すように、光ネットワークは、光ノード１０，３０及び光ファイバ２１，２２を有している。光ネットワークは、図２に示していない光ノード及び光ファイバをさらに有しており、例えば、リングネットワークを形成している。以下では、光ノード１０，３０及び図２に示していない光ノードを、単に光ノードと呼ぶこともある。
【００１８】
光ネットワークを形成している光ノードは、光ネットワークを監視するためのＯＳＣ光を送受信している。ＯＳＣ光には、例えば、光ノードの警報情報や信号光に含まれる波長数情報などが含まれている。光ノード１０は、自装置の警報情報をＯＳＣ光に含ませることにより、他の光ノードや光ネットワークを監視する光ネットワーク監視装置に警報情報を通知することができる。また、光ノード１０は、前段から送られてきたＯＳＣ光によって、受信する信号光の波長数を認識することができる。ＯＳＣ光の波長は、例えば、１５１０ｎｍである。信号光の波長は、例えば、１５３２ｎｍから１５６３ｎｍである。信号光は、波長多重されて送受信され、例えば、１〜４０波で送受信される。
【００１９】
光ノード１０は、増幅部１１，１３、ＯＡＤＭ部１２、光監視部（図中のＯＳＣ、以下、光監視部をＯＳＣと呼ぶ）１４，１５、及び制御部１６を有している。光ノード１０は、インライン型の増幅部を用いたＯＡＤＭノードであり、図示しない隣接する光ノードから受信した信号光を増幅部１１によって増幅し、増幅された信号光をＯＡＤＭ部１２によってアッド／ドロップして光ノード３０に送信する。また、光ノード１０は、光ノード３０から受信した信号光を増幅部１３によって増幅し、増幅された信号光をＯＡＤＭ部１２によってアッド／ドロップして図示しない隣接する光ノードに送信する。
【００２０】
増幅部１１，１３、ＯＡＤＭ部１２、ＯＳＣ１４，１５、及び制御部１６は、それぞれ１つのユニット（例えば、基板）で形成されている。各ユニットは、例えば、シェルフに収納され、光ノード１０を形成している。
【００２１】
増幅部１１は、カプラ１１ａ，１１ｃ及び光増幅器１１ｂを有している。カプラ１１ａは、図示しない光ノードから受信した信号光からＯＳＣ光を分波してＯＳＣ１４に出力し、また、ＯＳＣ光を分波した信号光を光増幅器１１ｂに出力する。カプラ１１ａは、例えば、ＷＤＭ（Wavelength Division Multiplexing）カプラである。
【００２２】
光増幅器１１ｂは、カプラ１１ａから出力される信号光を増幅し、ＯＡＤＭ部１２に出力する。
カプラ１１ｃは、ＯＡＤＭ部１２から出力される信号光に、ＯＳＣ１４から出力されるＯＳＣ光を合波する。光ノード１０は、インライン型の増幅部を用いたＯＡＤＭノードであるので、増幅部１１は、ＯＡＤＭ部１２でアッド／ドロップされた信号光を増幅する光増幅器を有していない。カプラ１１ｃは、例えば、ＷＤＭカプラである。
【００２３】
ＯＡＤＭ部１２は、ＯＡＤＭ１２ａ，１２ｄ及びＴＲ（TRansponder）１２ｂ，１２ｃを有している。ＯＡＤＭ１２ａ，１２ｄは、ＴＲ１２ｂ、１２ｃから出力される信号を信号光にアッドする。また、ＯＡＤＭ１２ａ，１２ｄは、信号光から下位のネットワークに出力する信号をドロップする。
【００２４】
ＴＲ１２ｂ，１２ｃは、下位のネットワークから受信した信号をＯＡＤＭ１２ａ，１２ｄに出力する。また、ＴＲ１２ｂ，１２ｃは、ＯＡＤＭ１２ａ，１２ｄからドロップされた信号を下位のネットワークに出力する。
【００２５】
増幅部１３は、カプラ１３ａ，１３ｃ、レベル制御部１３ｂ、及び光増幅器１３ｄを有している。カプラ１３ａは、ＯＡＤＭ部１２から出力される信号光に、ＯＳＣ１５から出力されるＯＳＣ光を合波する。光ノード１０は、インライン型の増幅部を用いたＯＡＤＭノードであるので、増幅部１３は、ＯＡＤＭ部１２でアッド／ドロップされた信号光を増幅する光増幅器を有していない。カプラ１３ａは、例えば、ＷＤＭカプラである。
【００２６】
レベル制御部１３ｂは、ＯＳＣ１５から出力されるＯＳＣ光のレベルを制御する。例えば、ＯＡＤＭ部１２から出力される信号光は、ＯＡＤＭ１２ａによってレベルが低下し、ＯＳＣ１５から出力されるＯＳＣ光より十分レベルが低くなる。この場合、信号光を受信する光ノード３０では、以下でも説明するが、信号光からＯＳＣ光を除去（分波）するのに高性能な分波フィルタ等を用いることになる。そこで、レベル制御部１３ｂは、ＯＳＣ光のレベルを下げ、ＯＳＣ光のレベルが信号光の１波長あたりのレベルとなるように制御する。これにより、光ノード３０は、一般に用いられている分波フィルタ等を用いて、信号光からＯＳＣ光を分波することができる。
【００２７】
カプラ１３ｃは、光ノード３０から受信した信号光からＯＳＣ光を分波してＯＳＣ１５に出力し、また、ＯＳＣ光を分波した信号光を光増幅器１３ｄに出力する。カプラ１３ｃは、例えば、ＷＤＭカプラである。
【００２８】
光増幅器１３ｄは、カプラ１３ｃから出力される信号光を増幅し、ＯＡＤＭ部１２に出力する。
ＯＳＣ１４は、カプラ１１ａによって信号光から分波されたＯＳＣ光に基づいて、所定の制御を行う。また、ＯＳＣ１４は、自装置の状態や光ノード３０から受信した情報を含むＯＳＣ光をカプラ１１ｃに出力する。
【００２９】
ＯＳＣ１５は、自装置の状態や光ノード３０から受信した情報を含むＯＳＣ光をカプラ１３ａに出力する。また、ＯＳＣ１５は、カプラ１３ｃによって信号光から分波されたＯＳＣ光に基づいて、所定の制御を行う。
【００３０】
制御部１６は、増幅部１１，１３、ＯＡＤＭ部１２、およびＯＳＣ１４，１５を制御し、光ノード１０の全体を制御する。
光ノード３０は、増幅部３１及びＯＳＣ３２を有している。増幅部３１は、カプラ３１ａ，３１ｃ及び光増幅器３１ｂを有している。増幅部３１は、光ノード１０の増幅部１１と同様であり、その説明を省略する。ＯＳＣ３２は、光ノード１０のＯＳＣ１４と同様であり、その説明を省略する。
【００３１】
光ノード３０は、ＯＡＤＭノードであってもよいし、インライン光ノードであってもよい。また、光ノード３０は、インライン型の増幅部を用いたＯＡＤＭノードであってもよい。例えば、光ノード３０は、ＯＡＤＭノードである場合、カプラ３１ｃの前段に光増幅器を有し、さらに、ＯＡＤＭ部、ＯＳＣ、及び制御部を有する。また、光ノード３０は、図２に示す増幅部１３と同様の増幅部を有する。この増幅部は、増幅部１３のカプラ１３ａに対応するカプラの前段に光増幅器を有する。また、光ノード３０は、インライン型の増幅部を用いたＯＡＤＭノードである場合、光ノード１０と同様のＯＡＤＭ部１２、増幅部１３、ＯＳＣ１５、及び制御部１６を有する。また、光ノード３０は、インライン光ノードである場合、インライン型の増幅部を用いたＯＡＤＭノードにおいてＯＡＤＭ部を有さず、光ノード１０と同様の増幅部１３、ＯＳＣ１４，１５、及び制御部１６を有する。
【００３２】
図３は、レベル制御部のブロック図である。図３に示すように、レベル制御部１３ｂは、ＰＤ（Photo Diode）４１，４４、信号光レベル算出部４２、カプラ４３、目標レベル制御部４５、及びレベル調整部４６を有している。なお、図３には、図２で示したカプラ１３ａ、ＯＳＣ１５、及び制御部１６も示している。また、図３には、図２で示さなかったカプラ４７も示している。
【００３３】
カプラ４７は、ＯＡＤＭ部１２から出力される信号光の一部を分岐してＰＤ４１に出力する。
ＰＤ４１は、カプラ４７によって一部分岐された信号光のレベルを電気信号に変換し、信号光レベル算出部４２に出力する。
【００３４】
信号光レベル算出部４２には、ＯＳＣ１５から波長数情報が入力される。信号光レベル算出部４２は、ＰＤ４１から出力される信号光と、ＯＳＣ１５から出力される波長数情報とから、信号光の１チャネルあたりのレベル（１波長あたりの信号光のレベル）を算出する。なお、ＯＳＣ１５は、制御部１６から光ノード１０で運用される波長数情報を受信し、その波長数情報を信号光レベル算出部４２に出力する。
【００３５】
カプラ４３は、レベル調整部４６から出力されるＯＳＣ光の一部を分岐してＰＤ４４に出力する。
ＰＤ４４は、カプラ４３によって一部分岐されたＯＳＣ光のレベルを電気信号に変換し、目標レベル制御部４５に出力する。
【００３６】
目標レベル制御部４５には、制御部１６から構成情報が入力される。構成情報は、例えば、光ノード１０がインライン光ノードであるか又はインライン型の増幅部を用いたＯＡＤＭノードであるかの情報である。図２の光ノード１０は、インライン型の増幅部を用いたＯＡＤＭノードであるので、インライン型の増幅部を用いたＯＡＤＭノードである旨の構成情報が目標レベル制御部４５に出力される。
【００３７】
目標レベル制御部４５は、制御部１６からインライン型の増幅部を用いたＯＡＤＭノードである旨の構成情報が出力された場合、信号光レベル算出部４２から出力される１波長あたりの信号光レベルと、ＰＤ４４から出力されるＯＳＣ光のレベルとに基づいて、レベル調整部４６を制御する。すなわち、目標レベル制御部４５は、レベル調整部４６から出力されるＯＳＣ光のフィードバックにより、レベル調整部４６から出力されるＯＳＣ光のレベルが、信号光の１波長あたりのレベルとなるようにレベル調整部４６を制御する。
【００３８】
例えば、目標レベル制御部４５は、ＰＤ４４から出力されるＯＳＣ光のレベルに基づき、レベル調整部４６から出力されるＯＳＣ光が、信号光レベル算出部４２によって算出された１波長あたりの信号光レベルとなるように制御する。これにより、ＯＳＣ光のレベルは、ＯＡＤＭ部１２によりレベルが低下した１波長あたりの信号光のレベルと差が小さくなるよう制御されて、カプラ１３ａに出力される。
【００３９】
上述したように、光ノード１０の各部はユニット化されている。よって、図２の光ノード１０にＯＡＤＭ部１２のユニットを取り付けなければ、光ノード１０は、インライン光ノードとなる。この場合、制御部１６は、インライン光ノードである旨の構成情報を目標レベル制御部４５に出力する。目標レベル制御部４５は、制御部１６からインライン光ノードである旨の構成情報が出力された場合、ＯＳＣ光のレベル調整を行わない。
【００４０】
これは、光ノード１０がインライン光ノードである場合、信号光は、ＯＡＤＭ部によってレベルが低下することがないので、ＯＳＣ１５から出力されるＯＳＣ光のレベルと信号光の１波長あたりのレベル差は大きくなく（受信側の光ノード３０に高性能の分波フィルタを用いるほどの差はなく）、そのままカプラ１３ａによって合波してもよいからである。ただし、ＯＳＣ１５から出力されるＯＳＣ光のレベルは、後段の光ノード３０で高性能の分波フィルタを用いなくても信号光からＯＳＣ光を分波できるレベルに調整される。
【００４１】
レベル調整部４６は、目標レベル制御部４５の制御に基づいて、ＯＳＣ１５から出力されるＯＳＣ光のレベルを調整する。
このように、光ノード１０は、ＯＳＣ光のレベルを制御するので、後段の光ノード２０は、高性能の分波フィルタ等を搭載しなくて済み、コストを低減することができる。
【００４２】
また、レベル制御部１３ｂは、構成情報に基づいてＯＳＣ光のレベルを制御する。これにより、インライン型の増幅部を用いたＯＡＤＭノード用のレベル制御部１３ｂを有する増幅部１３と、インライン光ノード用のレベル制御部１３ｂを有さない増幅部１３との２種類のユニットを製造しなくて済み、コストを低減することができる。また、増幅部１３は、インライン型の増幅部を用いたＯＡＤＭノードとインライン光ノードで共通化されるので、取り扱いが容易となる。例えば、ユーザは、インライン光ノードとインライン型の増幅部を用いたＯＡＤＭノードを区別することなく、増幅部１３のユニットを扱うことが可能となる。
【００４３】
以下、レベル制御部１３ｂを有さないインライン型の増幅部を用いたＯＡＤＭノードから出力される信号光を受信する光ノードにおいて、高性能の分波フィルタを用いる理由及びユニットの共通化について説明する。
【００４４】
図４は、インライン光ノードを示した図である。図４に示すように、光ノード５０は、増幅部５１，５２及びＯＳＣ５３，５４を有している。増幅部５１は、カプラ５１ａ，５１ｃ及び光増幅器５１ｂを有している。増幅部５２は、カプラ５２ａ，５２ｂ及び光増幅器５２ｃを有している。増幅部５１，５２は、図２で説明した増幅部１１と同様であり、その説明を省略する。ＯＳＣ５３，５４は、図２で説明したＯＳＣ１４，１５と同様であり、その説明を省略する。光ノード５０は、インライン光ノードなので、ＯＡＤＭ部を有していない。また、インライン光ノードは、近距離伝送に用いられるため、ポストアンプを有していない。
【００４５】
光増幅器５１ｂ，５２ｃは、例えば、信号光レベルが＋２．５ｄＢｍ／ｃｈとなるように信号光を増幅する。ＯＳＣ５４，５３は、信号光の１波長あたりのレベルとあまり差のない（後段の光ノードで高性能の分波フィルタを用いなくてもよいレベル差）、例えば、−１〜＋５ｄＢｍのレベルのＯＳＣ光を出力する。
【００４６】
図５は、インライン型の増幅部を用いたＯＡＤＭノードを示した図である。図５において図４と同じものには同じ符号を付し、その説明を省略する。
図５に示す光ノード６０は、インライン型の増幅部を用いたＯＡＤＭノードであり、図４のインライン光ノードの光ノード５０に対し、ＯＡＤＭ部６１のユニットが追加されている。ＯＡＤＭ部６１は、ＯＡＤＭ６１ａ，６１ｄおよびＴＲ６１ｂ，６１ｃを有している。ＯＡＤＭ部６１は、図２で説明したＯＡＤＭ部１２と同様であり、その説明を省略する。
【００４７】
増幅部５１で増幅された信号光は、ＯＡＤＭ部６１によってレベルが低下する。例えば、光増幅器５１ｂで＋２．５ｄＢｍ／ｃｈに増幅された信号光は、ＯＡＤＭ部６１によって、−２０ｄＢｍ／ｃｈにレベルが低下する。この場合、ＯＳＣ５４から出力されるＯＳＣ光のレベルが−１ｄＢｍであっても、信号光のレベルと１９ｄＢｍの差が生じる。
【００４８】
図６は、インライン型の増幅部を用いたＯＡＤＭノードの後段の光ノードを示した図である。図６には、図５に示したインライン型の増幅部を用いたＯＡＤＭノードの光ノード６０が示してある。光ノード６０の後段には、光ファイバを介して光ノード７０が接続されている。
【００４９】
光ノード７０は、カプラ７１，７３、ＯＳＣ７２、光増幅器７４、及び信号光モニタ部７５を有している。光ノード７０は、例えば、ＯＡＤＭノード、インライン光ノード、又はインライン型の増幅部を用いたＯＡＤＭノードである。
【００５０】
カプラ７１は、光ノード６０から受信した信号光からＯＳＣ光を分波し、ＯＳＣ７２に出力する。また、カプラ７１は、ＯＳＣ光を分波した信号光をカプラ７３に出力する。すなわち、カプラ７１は、信号光とＯＳＣ光を分波する分波フィルタである。カプラ７１は、例えば、ＷＤＭカプラである。
【００５１】
カプラ７３は、カプラ７１から出力された信号光の一部を信号光モニタ部７５に出力する。
光増幅器７４は、カプラ７３から出力される信号光を増幅し、後段の光回路へと出力する。
【００５２】
信号光モニタ部７５は、カプラ７３から出力される信号光のレベルに基づいて、通信路（光ファイバ）の断をモニタする。
ここで、カプラ７１に入力される信号光のレベルは、トータルパワーで−２３．０ｄＢｍ〜１８．５ｄＢｍとする。また、カプラ７１に入力されるＯＳＣ光のレベルは、−１．０ｄＢｍとする。なお、信号光のレベルに幅があるのは、信号光の波長数によってレベルが変わるからである。例えば、波長数が最小の１波の場合、信号光レベルは−２３．０ｄＢｍとなり、波長数が最大（例えば、４０波）の場合、信号光レベルは１８．５ｄＢｍとなる。
【００５３】
信号光モニタ部７５は、カプラ７３を介して入力される信号光のレベルが所定の閾値より小さい場合、通信路の断を検出する。信号光モニタ部７５は、上記例の信号光レベルで通信路の断を検出するには、信号光の最低レベルの−２３．０ｄＢｍより小さい値を閾値として設定する。例えば、信号光モニタ部７５は、−２６．０ｄＢｍを閾値に設定する。
【００５４】
信号光モニタ部７５が、閾値である−２６．０ｄＢｍ付近の信号光のレベルを±０．１ｄＢｍの誤差で検出するには、カプラ７１の信号光に対するＯＳＣ光の抑圧比は、４１ｄＢ以上を要する。このような抑圧比の大きい高性能なカプラを用いると、コストが向上する。
【００５５】
なお、カプラ７１に、例えば、信号光に対するＯＳＣ光の抑圧比が１０ｄＢの一般のカプラを用い、カプラ７３と信号光モニタ部７５との間に、ＯＳＣ光を除去するための分波フィルタを挿入することも考えられる。しかし、この場合も、挿入する分波フィルタに、抑圧比が３０ｄＢの分波フィルタを用いらなければならず、コストが向上する。
【００５６】
図７は、アッテネータを有したインライン型の増幅部を用いたＯＡＤＭの光ノードを示した図である。図７において図２と同じものには同じ符号を付し、その説明を省略する。図７では、増幅部８１が図２の増幅部１３と異なる。増幅部８１は、図２のレベル制御部１３ｂの代わりにＡＴＴ（アッテネータ）８１ａを有している。
【００５７】
ＡＴＴ８１ａは、固定の減衰量を有し、例えば、ＯＳＣ１５から出力されるＯＳＣ光を−２０ｄＢｍに減衰してカプラ１３ａに出力する。従って、ＯＡＤＭ部１２から出力される信号光のレベルが、例えば、−２３ｄＢｍであっても、信号光に対するＯＳＣ光のレベルの差は、３ｄＢｍしか生じない。この場合、後段の光ノード３０のカプラ３１ａには、例えば、１０ｄＢの抑圧比の一般のカプラを用いることができる。
【００５８】
しかし、ＯＳＣ光を減衰するのにＡＴＴ８１ａを用いると、インライン光ノード用とインライン型の増幅部を用いたＯＡＤＭノード用の２種類の増幅部のユニットを用意することになる。
【００５９】
例えば、インライン光ノード用に図４で示した増幅部５２のユニットを用意し、インライン型の増幅部を用いたＯＡＤＭノード用に図７に示す増幅部８１のユニットを用意することになる。この場合、ユーザは、例えば、インライン光ノードには、図４で示した増幅部５２のユニットを用い、インライン型の増幅部を用いたＯＡＤＭノードには、図７に示す増幅部８１のユニットを用いなければならず、２種類のユニットを認識しなければならない。
【００６０】
これに対し、図２の増幅部１３は、レベル制御部１３ｂを有し、制御部１６からの構成情報によって、ＯＳＣ光のレベルを変化させる。従って、増幅部１３の場合は、増幅部１３の１種類のユニットを用意することによって、インライン光ノード及びインライン型の増幅部を用いたＯＡＤＭノードに対応することができる。
【００６１】
例えば、増幅部１３のユニットをインライン光ノードに適用した場合、増幅部１３のレベル制御部１３ｂは、制御部１６からの構成情報に基づいて、ＯＳＣ光を減衰しない。一方、増幅部１３のユニットをインライン型の増幅部を用いたＯＡＤＭノードに適用した場合、増幅部１３のレベル制御部１３ｂは、制御部１６からの構成情報に基づいて、ＯＳＣ光を減衰する。
【００６２】
具体的には、図２において、ＯＳＣ１５から出力されるＯＳＣ光のレベルを−１ｄＢｍとする。ＯＡＤＭ部１２から出力される信号光の１波長あたりのレベルを−２０ｄＢｍとする。この場合、レベル制御部１３ｂは、ＯＳＣ１５から出力されるＯＳＣ光のレベルを−２０ｄＢｍとなるように制御してカプラ１３ａに出力する。
【００６３】
一方、図２の光ノード１０は、ＯＡＤＭ部１２のユニットが外され、インライン光ノードとして用いられるとする。増幅部１１からは、１波長あたり＋２．５ｄＢｍのレベルの信号光が出力されるとする。この場合、レベル制御部１３ｂは、ＯＳＣ光のレベル調整を行わず、ＯＳＣ１５から出力されるＯＳＣ光をそのままカプラ１３ａに出力するようにする。すなわち、レベル制御部１３ｂは、−１ｄＢｍのレベルのＯＳＣ光をカプラ１３ａに出力する。
【００６４】
なお、上記では、レベル制御部１３ｂは、ＯＳＣ１５から出力されるＯＳＣ光のレベルを減衰するように制御したが、増幅するように制御してもよい。例えば、ＯＳＣ１５から出力されるＯＳＣ光のレベルを−２０ｄＢｍとする。この場合、レベル制御部１３ｂは、光ノード１０がインライン型の増幅部を用いたＯＡＤＭノードである場合、ＯＳＣ光のレベルを制御せずそのまま出力する。また、レベル制御部１３ｂは、光ノードがインライン光ノードである場合、ＯＳＣ光のレベルを−１ｄＢｍとなるように増幅して出力する。
【００６５】
また、図２では、増幅部１３のみがレベル制御部１３ｂを有しているが、増幅部１１もレベル制御部１３ｂを有していてもよい。ＯＳＣは増幅部内に有してもよい。
次に、第３の実施の形態を、図面を参照して詳細に説明する。第２の実施の形態ではレベル制御部は、ＯＳＣから出力されるＯＳＣ光をフィードバックし、ＯＳＣ光が目標のレベルとなるように制御した。第３の実施の形態では、ＯＳＣ光をフィードバックせず、ＯＳＣ光のレベルを制御する。
【００６６】
図８は、第３の実施の形態に係るレベル制御部のブロック図である。図８に示すように、レベル制御部９０は、ＰＤ９１、信号光レベル算出部９２、目標レベル制御部９３、及びレベル調整部９４を有している。なお、図８には、図２で示したカプラ１３ａ、ＯＳＣ１５、及び制御部１６も示している。また、図８には、図２で示さなかったカプラ９５も示している。
【００６７】
図８に示すＰＤ９１、信号光レベル算出部９２、レベル調整部９４、及びカプラ９５は、図３で説明したＰＤ４１、信号光レベル算出部４２、レベル調整部４６、及びカプラ４７と同様であり、その説明を省略する。
【００６８】
目標レベル制御部９３には、制御部１６から構成情報が入力される。目標レベル制御部９３は、制御部１６から光ノードがインライン型の増幅部を用いたＯＡＤＭノードである旨の構成情報が出力された場合、信号光レベル算出部９２から出力される１波長あたりの信号光のレベルに基づいて、レベル調整部９４を制御する。
【００６９】
目標レベル制御部９３は、例えば、レベル調整部９４にどれくらいの電圧を出力すれば、レベル調整部９４からどれくらいのレベルのＯＳＣ光を出力するか認識している。例えば、目標レベル制御部９３は、レベル調整部９４に出力する電圧と、レベル調整部９４から出力されるＯＳＣ光のレベルとを対応づけた情報をメモリなどの記憶装置に記憶している。
【００７０】
目標レベル制御部９３は、信号光レベル算出部９２から１波長あたりの信号光のレベルが出力されると、出力された信号光のレベルに基づいて記憶装置を参照し、その信号光のレベルに対応する電圧を取得する。目標レベル制御部９３は、取得した電圧をレベル調整部９４に出力する。これにより、レベル調整部９４からは、信号光の１波長あたりの信号光のレベルと同様のレベルのＯＳＣ光が出力される。
【００７１】
なお、目標レベル制御部９３は、制御部１６からインライン光ノードである旨の構成情報が出力された場合は、レベル調整部９４の制御を行わない。レベル調整部９４は、ＯＳＣ１５から出力されるＯＳＣ光をそのままカプラ１３ａに出力する。
【００７２】
このように、レベル制御部９０は、カプラ１３ａに出力するＯＳＣ光のレベルをフィードバックせずに、ＯＳＣ光のレベルを制御する。これにより、フィードバックするための部品が不要となり、コストを低減することができる。
【００７３】
次に、第４の実施の形態を、図面を参照して詳細に説明する。第２の実施の形態及び第３の実施の形態ではレベル制御部は、波長数情報に基づいて信号光の１波長あたりのレベルを算出し、ＯＳＣ光のレベルを制御するようにした。第４の実施の形態では、１波長あたりの信号光のレベルを算出せず、構成情報によってＯＳＣ光のレベルを制御する。
【００７４】
図９は、第４の実施の形態に係るレベル制御部のブロック図である。図９に示すように、レベル制御部１００は、目標レベル制御部１０１及びレベル調整部１０２を有している。なお、図９には、図２で示したカプラ１３ａ、ＯＳＣ１５、及び制御部１６も示している。
【００７５】
目標レベル制御部１０１には、制御部１６から構成情報が入力される。目標レベル制御部１０１は、インライン型の増幅部を用いたＯＡＤＭノードの場合のカプラ１３ａに入力される信号光の１波長あたりのレベルを、例えば、メモリなどの記憶装置に予め記憶している。目標レベル制御部１０１は、制御部１６から光ノードがインライン型の増幅部を用いたＯＡＤＭノードである旨の構成情報が出力された場合、ＯＳＣ１５から出力されるＯＳＣ光のレベルが、記憶装置に記憶している信号光の１波長あたりのレベルとなるようにレベル調整部１０２を制御する。
【００７６】
カプラ１３ａに入力される信号光の１波長あたりのレベルは、設計時に予め算出することができる。これにより、カプラ１３ａに入力される信号光の１波長あたりのレベルと、レベル調整部１０２から出力されるＯＳＣ光のレベルは大きく異なることはない。すなわち、カプラ１３ａに入力される信号光の１波長あたりのレベルと、レベル調整部１０２から出力されるＯＳＣ光のレベルは、後段の光ノードで高性能な分波フィルタを用いるほどの大きな差を生じない。
【００７７】
なお、目標レベル制御部１０１は、制御部１６からインライン光ノードである旨の構成情報が出力された場合は、レベル調整部１０２の制御を行わない。レベル調整部１０２は、ＯＳＣ１５から出力されるＯＳＣ光をそのままカプラ１３ａに出力する。
【００７８】
このように、レベル制御部１００は、波長数情報によって信号光の１波長あたりのレベルを算出せず、制御部１６から出力される構成情報に基づいてＯＳＣ光のレベルを制御する。これにより、信号光を分岐するためのカプラおよび信号光の１波長あたりのレベルを算出する信号光レベル算出部が不要となり、コストを低減することができる。
【００７９】
次に、第５の実施の形態を、図面を参照して詳細に説明する。第２の実施の形態、第３の実施の形態、及び第４の実施の形態ではレベル制御部は、構成情報に基づいてＯＳＣ光のレベルを制御し及び制御しないようにした。第５の実施の形態では、構成情報によらずＯＳＣ光のレベルを制御する。
【００８０】
図１０は、第５の実施の形態に係るレベル制御部のブロック図である。図１０に示すように、レベル制御部１１０は、ＰＤ１１１、信号光レベル算出部１１２、目標レベル制御部１１３、およびレベル調整部１１４を有している。なお、図１０には、図２で示したカプラ１３ａ、ＯＳＣ１５、及び制御部１６も示している。また、図１０には、図２で示さなかったカプラ１１５も示している。
【００８１】
ＰＤ１１１、信号光レベル算出部１１２、及びレベル調整部１１４は、図３で説明したＰＤ４１、信号光レベル算出部４２、及びレベル調整部４６と同様であり、その説明を省略する。
【００８２】
目標レベル制御部１１３には、信号光レベル算出部１１２から信号光の１波長あたりのレベルが入力される。目標レベル制御部１１３は、信号光レベル算出部１１２から入力される信号光の１波長あたりのレベルに基づいてレベル調整部１１４のＯＳＣ光のレベル調整を制御する。
【００８３】
目標レベル制御部１１３は、レベル調整部１１４からカプラ１３ａに出力されるＯＳＣ光のレベルが、信号光の１波長あたりのレベルとなるように、レベル調整部１１４を制御する。目標レベル制御部１１３は、図８で説明した目標レベル制御部９３と同様の記憶装置を有し、信号光レベル算出部１１２から出力される信号光の１波長あたりのレベルに基づいて記憶装置を参照し、ＯＳＣ光のレベルを制御する。目標レベル制御部１１３は、光ノードがインライン光ノードであっても又はインライン型の増幅部を用いたＯＡＤＭノードであっても、レベル調整部１１４から出力されるＯＳＣ光のレベルが、信号光の１波長あたりのレベルとなるようにレベル調整部１１４を制御する。
【００８４】
このように、レベル制御部１１０は、構成情報によらずＯＳＣ光のレベルを制御して出力する。これによっても、後段の光ノードでは、構成の分波フィルタを搭載しなくて済み、コストを低減することができる。
【符号の説明】
【００８５】
１，２  光ノード
１ａ  光監視部
１ｂ  レベル制御部
１ｃ  合波部
３  光ファイバ
【図１】
0005617510.tif 000002
【図２】
0005617510.tif 000003
【図３】
0005617510.tif 000004
【図４】
0005617510.tif 000005
【図５】
0005617510.tif 000006
【図６】
0005617510.tif 000007
【図７】
0005617510.tif 000008
【図８】
0005617510.tif 000009
【図９】
0005617510.tif 000010
【図１０】
0005617510.tif 000011